(57)【特許請求の範囲】
【請求項１】
駆動ローラにより１枚ずつ所定方向に送られる帳票を平面状の案内面により案内する搬送ガイドと、
光学的透明度の高い部材を、その一面が、前記搬送ガイドの案内面との間で安定的な搬送ギャップを保つように付勢実装する読み取り案内ガイドと、
前記光学的透明度の高い部材の他面側に配置され、この光学的透明度の高い部材を通して前記搬送ガイドとの搬送ギャップ間に位置する帳票を読み取るための固定配置された縮小光学系と、
前記光学的透明度の高い部材に連結され、この光学的透明度の高い部材を、前記帳票の搬送方向と同じ副走査方向に沿って往復運動させるプッシュプルソレノイドと、
縮小光学系による読み取り視野外に固定配置され、前記プッシュプルソレノイドによる光学的透明度の高い部材の往復運動により、この光学的透明度の高い部材の縮小光学系との対向面と接触するクリーニングブラシと
を備えたことを特徴とするスキャナ装置。
【発明の詳細な説明】
【０００１】
【発明の属する技術分野】
本発明は、帳票等の読み取りに用いられるスキャナ装置に関する。
【０００２】
【従来の技術】
従来のイメージスキャナ装置は、密着センサを使用した原稿移動の形態をとるものと、ＣＣＤ、レンズ等のから成る縮小光学系を移動させて原稿を読み取る形態の２種類あった。
【０００３】
前者は、ポータブル系で普及機用として、後者は、デスクトップあるいはスタンドアロン系で業務用として使用されることが多い。特に後者はＡＤＦを用い自動給紙の形態をとることもある。
【０００４】
【発明が解決しようとする課題】
原稿移動の形態をとる普及機は、密着センサを使用している関係で低速処理であり、仕様として、バッチ処理に不向き、帳票の仕様に制限あり、印字処理付加、帳票の振り分け不可といった制限がある。また、縮小光学系の移動の形態をとる高級機は、バッチ処理のみＡＤＦ使用により満足されるが、それ以外の上述した仕様を満足しない。
【０００５】
そこで、原稿移動の形態をとり、かつ、安定的なイメージ抽出を提供する縮小光学系を搭載し、ＡＤＦ、印字処理、帳票振り分け処理等付加価値を持つ帳票読み取り用のスキャナ装置が考えられている。
このようなスキャナ装置は、読み取り部には、安定した搬送ギャップを確保して帳票の変形や反りなどの影響を受けないように、光学的に透明度の高い材質で構成される部材が設けられる。この部材に対しては高い透明性を維持するためにクリーニング機構が必要になる。
本発明の目的は、読み取り部に付勢されて帳票に対する安定した搬送ギャップを確保するための透明度の高い部材を設けると共に、この透明度の高い部材に対するクリーニング機構を設けたスキャナ装置を提供することにある。
【０００６】
【課題を解決するための手段】
本発明のスキャナ装置は、駆動ローラにより１枚ずつ所定方向に送られる帳票を平面状の案内面により案内する搬送ガイドと、光学的透明度の高い部材を、その一面が、前記搬送ガイドの案内面との間で安定的な搬送ギャップを保つように付勢実装する読み取り案内ガイドと、前記光学的透明度の高い部材の他面側に配置され、この光学的透明度の高い部材を通して前記搬送ガイドとの搬送ギャップ間に位置する帳票を読み取るための固定配置された縮小光学系と、前記光学的透明度の高い部材に連結され、この光学的透明度の高い部材を、前記帳票の搬送方向と同じ副走査方向に沿って往復運動させるプッシュプルソレノイドと、縮小光学系による読み取り視野外に固定配置され、前記プッシュプルソレノイドによる光学的透明度の高い部材の往復運動により、この光学的透明度の高い部材の縮小光学系との対向面と接触するクリーニングブラシとを備えたことを特徴とする
【０００９】
【発明の実施の形態】
図１本発明のスキャナ装置外観、第２図は装置の内部構成、図３は、ヒンジ機構を軸にスキャナ装置本体を回動させることによってスキャナ装置本体の内部を開けた状態を示す図である。図から明確なように、本発明のスキャナ装置は、給紙部３、電源部１１、制御部（ＰＣＢ１２）基板を含む基台１が固定され、スタッカ５、６を含むスキャ装置本体２がヒンジ機構４を軸に回動自在に構成されるシェル構成が採用される。スキャナ装置本体２は、搬送系２１、読み取り部２２、印字部２３で構成される。それぞれについての詳細は後述する。尚、図３中、円内に示す読み取り部２２周辺が本発明の主要部分である。
【００１０】
図４は、本発明の主要部分を拡大して示した図である。図中、４１は帳票を搬送する駆動ローラ、４２は帳票を案内する搬送ガイド、４３は給紙ローラ、４４はセパレータ、４５は読み取り案内ガイドである。４６は本発明による付加される光学的に透明度の高い材質で構成される部材であり、読み取り案内ガイド４５に実装され、ここでは硬質透明硝子を使用するものとする。他に、透過率が高く、いわゆる光を屈折しにくいアクリル材、ポリカーボ材であっても構わない。これら４１〜４６によって帳票案内搬送系が構成される。
【００１１】
４９は縮小光学系であり、図５に示す通り、蛍光灯４９１、反射ミラー４９２、光学レンズ４９３、ＣＣＤセンサ４９４から構成される。図中、４１〜４４は帳票案内搬送系であり、それぞれ、帳票駆動ローラ、搬送ガイド、給紙ローラ、セパレータである。縮小光学系の構成については従来と差異がないため詳細説明は省略する。
【００１２】
上述したように、本発明においては、読み取り案内ガイド４５に図示せぬ保持機構を介して硬質透明硝子４６が付勢実装されている。読み取り部２２では、カラーイメージを安定的に提供するために、安定的な搬送ギャップを確保し、３波長イメージに帳票の変形、反りの影響を与えないようにしている。この硬質透明硝子４６を読み取り部２２に付勢することにより、イメージの安定化ははかれるが、長期的視野からクリーニング機構が必要となる。つまり、読み取り部２２と縮小光学系４９との間に、例えばブラシ機構４７、ブラシ駆動系４８から成るクリーニング機構が必要となる。
【００１３】
図６〜図８は上述したクリーニング機構の構成例を示す図である。図６に示す例は、モータ６３により回転駆動されるプーリーとアイドルローラ６４との間に掛け渡されたベルト６１にクリーニング機構を構成するブラシ４７を取り付ける。そして、読み取り部２２の有効視野外に退避された状態にあるクリーニングブラシ４７の位置を、センサ６２によって図示せぬ制御部にて認識させる。さらに、制御部から発せられるトリカによってブラシ４７を硬質透明硝子４６における主走査方向の有効視野内に進入させ、いずれかの退避場所に指定回数クリーニングブラシ４７を往復させることによって硬質透明硝子４６に付着したゴミ等を一掃するものである。図中、６３，６４はクリーニングブラシの駆動系であり、それぞれ、駆動制御モータ、アイドラローラである。尚、クリーニングブラシの代わりにバキュームを使用した吸着ダクトで構成してもよい。
【００１４】
図７は、クリーニングブラシの駆動系に、図中、７１で示すクラッチ機構を用いたものであり、ブラシ４７により構成されるクリーニング機構を有する。そして、駆動モータ６３から伝達される回転力を、一回転毎、正転逆転を繰り返すクラッチ７１により、ブラシ４７に対して副走査方向にその力を伝達し、硬質透明硝子４６に付着したゴミ等を一掃するものである。図８は、ブラシ４７により構成されるクリーニング機構に対し、硬質透明ガラス４６をプッシュプルソレノイド８１にて副走査方向に往復運動させる例を示したものである。このとき、硬質透明ガラス４６を可動構成とすることから、クリーニングブラシ４７は当然のことながら固定配置される。
【００１５】
尚、クリーニング機構が動作するタイミングは、例えば、装置の立ち上げ動作時、処理バッチ毎の最初あるいは最後、あるいは装置の異常状態検出時に行なうものとする。これらを図示せぬ制御部から選択指示することで、クリーニング走査は繰り返され、長期にわたり安定したイメージ採取が可能となる。
【００１６】
【発明の効果】
以上説明のように本発明は、帳票案内搬送系における読み取り部分を光学的に透明度の高い材質で構成し、固定配置される縮小光学系により帳票読み取りを行なうものであり、更に、読み取り部分を任意の時点でクリーニングすることにより透明度を維持するものであり、このことにより、イメージが安定的に処理され、小型化と低価格化が同時に実現され、バッチ処理、印字処理、帳票振り分け処理を可とする付加価値をつけることができる。
【図面の簡単な説明】
【図１】本発明のスキャナ装置の外観構造を示す図、
【図２】本発明のスキャナ装置の内部構成を示す図、
【図３】本発明のスキャナ装置のシェル構造を示した図、
【図４】本発明のスキャナ装置の読み取り部近傍の詳細を示す図、
【図５】本発明にて使用される縮小光学系の実施形態を示す図、
【図６】本発明にて使用されるクリーニング機構の一実施形態を示す図、
【図７】本発明にて使用されるクリーニング機構の一実施形態を示す図、
【図８】本発明にて使用されるクリーニング機構の一実施形態を示す図、
【符号の説明】
１…基台、２…スキャナ装置本体、３…給紙部、４…ヒンジ機構、，５，６…排紙スタッカ、１１…電源部、１２…制御部、２２…読み取り部、４１…駆動系ローラ、４２…搬送ガイド、４３…給紙ローラ、４４…セパレータ、４５…読み取り案内ガイド、４６…硬質透明ガラス、４７…クリーニングブラシ、４８…駆動制御モータ、４９…縮小光学系、６１…プーリー、６２…位置センサ、６３…駆動モータ、６４…アイドラローラ、７１…クラッチ機構、８１…プッシュプルソレノイド、４９１…蛍光灯、４９２…反射ミラー、４９３…光学レンズ、４９４…ＣＣＤセンサ。
【図１】
0003944294.tif 000002
【図２】
0003944294.tif 000003
【図３】
0003944294.tif 000004
【図４】
0003944294.tif 000005
【図５】
0003944294.tif 000006
【図６】
0003944294.tif 000007
【図７】
0003944294.tif 000008
【図８】
0003944294.tif 000009